(57)【要約】      （修正有）【課題】優れた演色性を有する発光装置を提供する。【解決手段】発光装置は、４１０ｎｍ以上４４０ｎｍ以下の範囲に発光ピーク波長を有する発光素子１０と、４３０ｎｍ以上５００ｎｍ以下の発光ピーク波長を有するアルカリ土類リン酸塩を含む第一蛍光体７１と、４４０ｎｍ以上５５０ｎｍ以下の発光ピーク波長を有するアルカリ土類アルミン酸塩とケイ酸塩の少なくとも一方を含む第二蛍光体７２と、５００ｎｍ以上６００ｎｍ以下の発光ピーク波長を有する希土類アルミン酸塩を含む第三蛍光体７３と、６１０ｎｍ以上６５０ｎｍ以下の発光ピーク波長を有するシリコンナイトライドを含む第四蛍光体７４と、６５０ｎｍ以上６７０ｎｍ以下の発光ピーク波長を有するフルオロジャーマネートを含む第五蛍光体７５と、を含み、第一蛍光体の発光素子に対する発光ピーク強度比が０．１５以上２以下であり、相関色温度が２０００Ｋ以上７５００Ｋ以下の光を発する。【選択図】図１
2019114794.tif 000002
【特許請求の範囲】
【請求項１】
４１０ｎｍ以上４４０ｎｍ以下の範囲に発光ピーク波長を有する発光素子と、蛍光部材とを備え、
前記蛍光部材は、蛍光体として、
４３０ｎｍ以上５００ｎｍ以下の範囲に発光ピーク波長を有し、Ｃｌを組成に有しＥｕで賦活されるアルカリ土類リン酸塩を含む第一蛍光体と、
４４０ｎｍ以上５５０ｎｍ以下の範囲に発光ピーク波長を有し、Ｅｕで賦活されるアルカリ土類アルミン酸塩並びにＣａ、Ｍｇ及びＣｌを組成に有しＥｕで賦活されるケイ酸塩の少なくとも一方を含む第二蛍光体と、
５００ｎｍ以上６００ｎｍ以下の範囲に発光ピーク波長を有し、Ｃｅで賦活される希土類アルミン酸塩を含む第三蛍光体と、
６１０ｎｍ以上６５０ｎｍ以下の範囲に発光ピーク波長を有し、Ｓｒ及びＣａの少なくとも一方とＡｌとを組成に有しＥｕで賦活されるシリコンナイトライドを含む第四蛍光体と、
６５０ｎｍ以上６７０ｎｍ以下の範囲に発光ピーク波長を有し、Ｍｎで賦活されるフルオロジャーマネートを含む第五蛍光体と、を含み、
発光スペクトルにおける前記第一蛍光体の発光ピーク強度の前記発光素子の発光ピーク強度に対する発光ピーク強度比が、０．１５以上２以下であり、
相関色温度が２０００Ｋ以上７５００Ｋ以下の光を発する発光装置。
【請求項２】
前記蛍光体の総量に対する前記第一蛍光体の含有率が２０質量％以上８０質量％以下である請求項１に記載の発光装置。
【請求項３】
相関色温度が５５００Ｋ以上７５００Ｋ以下である光を発し、前記発光ピーク強度比が０．４以上１．５以下である請求項１又は２に記載の発光装置。
【請求項４】
相関色温度が４５００Ｋ以上５５００Ｋ未満である光を発し、前記発光ピーク強度比が０．４以上１．５以下である請求項１又は２に記載の発光装置。
【請求項５】
相関色温度が３５００Ｋ以上４５００Ｋ未満である光を発し、前記発光ピーク強度比が０．３以上１．３以下である請求項１又は２に記載の発光装置。
【請求項６】
相関色温度が２５００Ｋ以上３５００Ｋ未満である光を発し、前記発光ピーク強度比が０．２以上１．４以下である請求項１又は２に記載の発光装置。
【請求項７】
相関色温度が５５００Ｋ以上７５００Ｋ以下である光を発し、
前記蛍光体の総量に対する前記第一蛍光体の含有率が３０質量％以上８０質量％以下である請求項２に記載の発光装置。
【請求項８】
前記第三蛍光体に対する前記第一蛍光体の含有比が、０．９以上６以下である請求項７に記載の発光装置。
【請求項９】
相関色温度が４５００Ｋ以上５５００Ｋ未満である光を発し、
前記蛍光体の総量に対する前記第一蛍光体の含有率が３０質量％以上８０質量％以下である請求項２に記載の発光装置。
【請求項１０】
前記第三蛍光体に対する前記第一蛍光体の含有比が、０．８以上５．５以下である請求項９に記載の発光装置。
【請求項１１】
相関色温度が３５００Ｋ以上４５００Ｋ未満である光を発し、
前記蛍光体の総量に対する前記第一蛍光体の含有率が２０質量％以上７５質量％以下である請求項２に記載の発光装置。
【請求項１２】
前記第三蛍光体に対する前記第一蛍光体の含有比が、０．６以上４．２以下である請求項１１に記載の発光装置。
【請求項１３】
相関色温度が２５００Ｋ以上３５００Ｋ未満である光を発し、
前記蛍光体の総量に対する前記第一蛍光体の含有率が４０質量％以上５５質量％以下である請求項２に記載の発光装置。
【請求項１４】
前記第三蛍光体に対する前記第一蛍光体の含有比が、１．９以上２．５以下である請求項１３に記載の発光装置。
【請求項１５】
前記第一蛍光体が、下記式（１）で示される組成を有するアルカリ土類リン酸塩を含む請求項１から１４のいずれか１項に記載の発光装置。
（Ｃａ,Ｓｒ,Ｂａ）５（ＰＯ４）３（Ｃｌ，Ｂｒ）：Ｅｕ    （１）
【請求項１６】
前記第二蛍光体が、下記式（２ａ）で示される組成を有するアルカリ土類アルミン酸塩及び下記式（２ｂ）で示される組成を有するケイ酸塩の少なくとも一方を含む請求項１から１５のいずれか１項に記載の発光装置。
（Ｓｒ，Ｃａ，Ｂａ）４Ａｌ１４Ｏ２５：Ｅｕ    （２ａ）
（Ｃａ，Ｓｒ，Ｂａ）８ＭｇＳｉ４Ｏ１６（Ｆ，Ｃｌ，Ｂｒ）２：Ｅｕ    （２ｂ）
【請求項１７】
前記第三蛍光体が、下記式（３）で示される組成を有する希土類アルミン酸塩を含む請求項１から１６のいずれか１項に記載の発光装置。
（Ｙ，Ｌｕ，Ｇｄ）３（Ａｌ，Ｇａ）５Ｏ１２：Ｃｅ    （３）
【請求項１８】
前記第四蛍光体が、下記式（４）で示される組成を有するシリコンナイトライドを含む請求項１から１７のいずれか１項に記載の発光装置。
（Ｓｒ，Ｃａ）ＡｌＳｉＮ３：Ｅｕ    （４）
【請求項１９】
前記第五蛍光体が、下記式（５ａ）又は（５ｂ）で示される組成を有するフルオロジャーマネートの少なくとも１種を含む請求項１から１８のいずれか１項に記載の発光装置。
３．５ＭｇＯ・０．５ＭｇＦ２・ＧｅＯ２：Ｍｎ    （５ａ）
（ｘ-ｓ）ＭｇＯ・（ｓ/２）Ｓｃ２Ｏ３・ｙＭｇＦ２・ｕＣａＦ２・（１-ｔ）ＧｅＯ２・（ｔ/２）Ｍｔ２Ｏ３：ｚＭｎ    （５ｂ）
（式中、ＭｔはＡｌ、Ｇａ及Ｉｎからなる群から選択される少なくとも１種であり、ｘ、ｙ、ｚ、ｓ、ｔ及びｕはそれぞれ、２≦ｘ≦４、０＜ｙ＜１．５、０＜ｚ＜０．０５、０≦ｓ＜０．５、０＜ｔ＜０．５、及び０≦ｕ＜１．５を満たす。）
【請求項２０】
特殊演色評価数Ｒ１２が６０以上である請求項１から１９のいずれか１項に記載の発光装置。
【請求項２１】
特殊演色評価数Ｒ９からＲ１５の総和が６００以上である請求項１から２０のいずれか１項に記載の発光装置。
【発明の詳細な説明】
【技術分野】
【０００１】
本開示は、発光装置に関する。
【背景技術】
【０００２】
発光ダイオード（以下、「ＬＥＤ」とも記載する。）を用いて白色系の光を発する発光装置として、例えば、青色に発光するＬＥＤと黄色に発光する蛍光体とを組み合わせた発光装置がある。この発光装置は、ＬＥＤの青色光と、その光によって励起された蛍光体による黄色光とが混色することにより白色系の光を発する。このような発光装置では、可視光領域における放射強度が強く発光効率は高いが、青緑色領域及び赤色領域における放射強度が充分に得られない場合がある。そのため照射物の色の見え方（以下、「演色性」と呼ぶ。）に更なる改良の余地がある。
【０００３】
ここで、光源の演色性の評価手順は、ＪＩＳ  Ｚ８７２６によって、所定の反射率特性を有する試験色（Ｒ１からＲ１５）を、試験光源と基準光源とでそれぞれ測色した場合の色差ΔＥｉ（ｉは１から１５の整数）を数値計算して演色評価数を算出して行うと定められている。演色評価数Ｒｉ（ｉは１から１５の整数）の上限は１００である。つまり、試験光源とそれに対応する色温度の基準光源の色差が小さいほど、演色評価数は１００に近づき高くなる。演色評価数のうち、Ｒ１からＲ８の平均値は平均演色評価数（以下、Ｒａとも記載する。）と呼ばれ、Ｒ９からＲ１５は特殊演色評価数と呼ばれる。特殊演色評価数について、Ｒ９は赤色、Ｒ１０は黄色、Ｒ１１は緑色、Ｒ１２は青色、Ｒ１３は西洋人の肌の色、Ｒ１４は木の葉の色、Ｒ１５は日本人の肌の色とされている。
【０００４】
光源の演色性を高めるため、青色に発光するＬＥＤと、緑色から黄色に発光する２種類の蛍光体として例えば、クロロシリケート蛍光体と、Ｙ又はＴｂのガーネット蛍光体とを用いた発光装置が提案されている（例えば、特許文献１参照）。また、さらに演色性を高めるため、緑色から黄色に発光する蛍光体に加え、赤色に発光する蛍光体を用いた発光装置が提案されている（例えば、特許文献２参照）。
【先行技術文献】
【特許文献】
【０００５】
【特許文献１】特表２００３−５３５４７７号公報
【特許文献２】特開２００８−０３４１８８号公報
【発明の概要】
【発明が解決しようとする課題】
【０００６】
従来技術の発光装置では、黄色、緑色、赤色等に発光する蛍光体を用いることで、それらに相当する波長領域の色差をある程度小さくすることができた。しかしながら、主に発光素子に由来する青色領域の発光強度を基準光源に近づけ青色領域の色差を小さくすることは難しかった。例えば、蛍光体の量を調節したり拡散材を添加したりして青色の発光強度を調節することも考えられるが、満足な解決には至っていない。ここで特殊演色評価数Ｒ１２は、一般的に、青色の波長領域の発光が大きく関与しており、従来技術の発光装置ではＲ１２の数値が低くなる傾向があった。高い演色性を有する発光装置とするためには、可視光領域において太陽光源のような紫色から青色、そして緑色から黄色、そして橙色から赤色のような一連の連続した発光スペクトルが得られるように発光装置を構成して、このＲ１２の数値を高くする必要がある。
【０００７】
このような問題を解決する発光装置として、演色評価数の算出には寄与しない近紫外領域に発光ピーク波長を有する発光素子を用いる発光装置が挙げられる。しかしながら、近紫外領域の光は、紫外線の成分を多く含んでいるため、人体や照射物に悪影響を及ぼすだけでなく、発光装置の構成部材が劣化したり、発光装置の発光効率が大幅に低下したりする問題があった。
【０００８】
そこで、本開示の一実施形態は、上述したような問題を解決し、優れた演色性を有する発光装置を提供することを目的とする。
【課題を解決するための手段】
【０００９】
前記課題を解決するための具体的手段は以下の通りであり、本開示は以下の態様を包含する。
第一態様は、４１０ｎｍ以上４４０ｎｍ以下の範囲に発光ピーク波長を有する発光素子と、蛍光部材とを備える発光装置である。前記蛍光部材は、蛍光体として４３０ｎｍ以上５００ｎｍ以下の範囲に発光ピーク波長を有し、Ｃｌを組成に有しＥｕで賦活されるアルカリ土類リン酸塩を含む第一蛍光体と、４４０ｎｍ以上５５０ｎｍ以下の範囲に発光ピーク波長を有し、Ｅｕで賦活されるアルカリ土類アルミン酸塩並びにＣａ、Ｍｇ及びＣｌを組成に有しＥｕで賦活されるケイ酸塩の少なくとも一方を含む第二蛍光体と、５００ｎｍ以上６００ｎｍ以下の範囲に発光ピーク波長を有し、Ｃｅで賦活される希土類アルミン酸塩を含む第三蛍光体と、６１０ｎｍ以上６５０ｎｍ以下の範囲に発光ピーク波長を有し、Ｓｒ及びＣａの少なくとも一方とＡｌとを組成に有しＥｕで賦活されるシリコンナイトライドを含む第四蛍光体と、６５０ｎｍ以上６７０ｎｍ以下の範囲に発光ピーク波長を有し、Ｍｎで賦活されるフルオロジャーマネートを含む第五蛍光体と、を含む。
【発明の効果】
【００１０】
本開示の一実施形態によれば、優れた演色性を有する発光装置を提供することができる。
【図面の簡単な説明】
【００１１】
【図１】本実施形態に係る発光装置の一例を示す概略断面図である。
【図２】実施例１から３及び比較例１に係る発光装置の発光スペクトルを示す図である。
【図３】実施例４から７及び比較例１に係る発光装置の発光スペクトルを示す図である。
【図４】実施例８から１１及び比較例２に係る発光装置の発光スペクトルを示す図である。
【図５】実施例１２から１５及び比較例２に係る発光装置の発光スペクトルを示す図である。
【図６】実施例１６から１９及び比較例３に係る発光装置の発光スペクトルを示す図である。
【図７】実施例２０から２３及び比較例３に係る発光装置の発光スペクトルを示す図である。
【図８】実施例２４及び比較例４に係る発光装置の発光スペクトルを示す図である。
【図９】実施例２５及び比較例５に係る発光装置の発光スペクトルを示す図である。
【発明を実施するための形態】
【００１２】
以下、本発明を実施するための形態について説明する。ただし、以下に示す実施の形態は、本発明の技術思想を具体化するための発光装置を例示するものであって、本発明は、以下の発光装置に限定されない。なお、本明細書において色名と色度座標との関係、光の波長範囲と単色光の色名との関係等は、ＪＩＳ  Ｚ８１１０に従う。また、組成物中の各成分の含有量は、組成物中に各成分に該当する物質が複数存在する場合、特に断らない限り、組成物中に存在する当該複数の物質の合計量を意味する。
【００１３】
［発光装置］
図１は、本開示の一実施形態に係る発光装置の概略断面図である。発光装置１００は、４１０ｎｍ以上４４０ｎｍ以下の範囲に発光ピーク波長を有する発光素子１０と、蛍光部材５０とを備える。前記蛍光部材５０は、蛍光体７０として、第一蛍光体７１、第二蛍光体７２、第三蛍光体７３、第四蛍光体７４及び第五蛍光体７５の少なくとも５種を含む。第一蛍光体７１は、４３０ｎｍ以上５００ｎｍ以下の範囲に発光ピーク波長を有し、Ｃｌを組成に有しＥｕで賦活されるアルカリ土類リン酸塩を含む。第二蛍光体７２は、４４０ｎｍ以上５５０ｎｍ以下の範囲に発光ピーク波長を有し、Ｅｕで賦活されるアルカリ土類アルミン酸塩並びにＣａ、Ｍｇ及びＣｌを組成に有しＥｕで賦活されるケイ酸塩の少なくとも一方を含む。第三蛍光体７３は、５００ｎｍ以上６００ｎｍ以下の範囲に発光ピーク波長を有し、Ｃｅで賦活される希土類アルミン酸塩を含む。第四蛍光体７４は、６１０ｎｍ以上６５０ｎｍ以下の範囲に発光ピーク波長を有し、Ｓｒ及びＣａの少なくとも一方とＡｌとを組成に有しＥｕで賦活されるシリコンナイトライドを含む。第五蛍光体７５は、６５０ｎｍ以上６７０ｎｍ以下の範囲に発光ピーク波長を有し、Ｍｎで賦活されるフルオロジャーマネートを含む。前記蛍光部材５０に含まれる前記蛍光体７０の総量に対する前記第一蛍光体７１の含有率は２０質量％以上８０質量％以下であることが好ましい。
【００１４】
特定の発光ピーク波長を有する発光素子１０と、少なくとも５種の特定の蛍光体を含み、特定の範囲の含有量で第一蛍光体７１を含む蛍光部材５０とを備えることで、演色評価数の算出に係る可視光領域の短波側から長波側の極めて広い範囲において発光装置１００の発光スペクトルを基準光源のスペクトルに近づけることができる。これにより、優れた演色性を達成することが可能となる。また特定の波長域に発光ピークを有する発光素子１０を含むことで、光源としての安全性と高い発光効率とを達成することができる。更に特定の発光素子１０と、第一蛍光体７１を特定の含有量で含む蛍光部材５０とを備えることで、特に特殊演色評価数Ｒ１２を向上させることができる。
【００１５】
平均演色評価数Ｒａについて、ＣＩＥ（国際照明委員会）は、蛍光ランプが具備すべき演色性の指針を１９８６年に公表している。その指針によれば、使用される場所に応じた好ましい平均演色評価数Ｒａは、一般作業を行う工場では６０以上８０未満、住宅、ホテル、レストラン、店舗、オフィス、学校、病院、精密作業を行う工場などでは８０以上９０未満、高い演色性が求められる臨床検査を行う場所、美術館などでは９０以上とされている。
【００１６】
本実施形態に係る発光装置１００のＲａは、例えば８０以上であり、９０以上が好ましく、９５以上がより好ましい。また発光装置１００の特殊演色評価数Ｒ９からＲ１５はそれぞれ、例えば５０以上であり、７０以上が好ましく、９０以上がより好ましい。特にＲ１２は、例えば６０以上であり、７５以上が好ましく、９０以上がより好ましい。また特殊演色評価数Ｒ９からＲ１５の総和（以下、Ｒｔともいう）は、例えば５７０以上であり、６００以上が好ましく、６５０以上がより好ましい。
【００１７】
発光装置１００が発する光は、発光素子１０の光と、第一蛍光体７１、第二蛍光体７２、第三蛍光体７３、第四蛍光体７４及び第五蛍光体７５が発する蛍光との混色光であり、例えば、ＣＩＥ１９３１に規定される色度座標が、ｘ＝０．００から０．５０且つｙ＝０．００から０．５０の範囲に含まれる光とすることができ、ｘ＝０．２５から０．４０且つｙ＝０．２５から０．４０の範囲に含まれる光とすることもできる。また発光装置１００が発する光の相関色温度は、例えば２０００Ｋ以上又は２５００Ｋ以上である。また相関色温度は７５００Ｋ以下又は７０００Ｋ以下である。
【００１８】
本実施形態に係る発光装置１００を図１に基づいて詳細に説明する。発光装置１００は、表面実装型発光装置の一例である。
【００１９】
発光装置１００は、可視光の短波長側（例えば、３８０ｎｍ以上４８５ｎｍ以下の範囲）の光を発し、発光ピーク波長が４１０ｎｍ以上４４０ｎｍ以下の範囲内にある窒化ガリウム系化合物半導体の発光素子１０と、発光素子１０を載置する成形体４０と、を有する。成形体４０は、第１のリード２０及び第２のリード３０と、樹脂部４２とが一体的に成形されてなるものである。あるいは樹脂部４２に代えてセラミックスを材料として既に知られた方法を利用して成形体４０を形成することもできる。成形体４０は底面と側面を持つ凹部を形成しており、凹部の底面に発光素子１０が載置されている。発光素子１０は一対の正負の電極を有しており、その一対の正負の電極はそれぞれ第１のリード２０及び第２のリード３０とワイヤ６０を介して電気的に接続されている。発光素子１０は蛍光部材５０により被覆されている。蛍光部材５０は例えば、発光素子１０からの光を波長変換する蛍光体７０として第一蛍光体７１、第二蛍光体７２、第三蛍光体７３、第四蛍光体７４及び第五蛍光体７５の少なくとも５種の蛍光体と樹脂とを含有してなる。
【００２０】
（発光素子１０）
発光素子１０の発光ピーク波長は、４１０ｎｍ以上４４０ｎｍ以下の範囲にあり、発光効率の観点から、４２０ｎｍ以上４４０ｎｍ以下の範囲にあることが好ましい。この範囲に発光ピーク波長を有する発光素子１０を励起光源として用いることにより、発光素子１０からの光と蛍光体７０からの蛍光との混色光を発する発光装置１００を構成することが可能となる。また発光素子１０から外部に放射される光を有効に利用することができるため、発光装置１００から出射される光の損失を少なくすることができ、高効率な発光装置１００を得ることができる。さらに、発光ピーク波長が近紫外領域よりも長波長側にあり、紫外線の成分が少ないため、光源としての安全性と発光効率とに優れる。
【００２１】
発光素子１０の発光スペクトルの半値幅は例えば、３０ｎｍ以下とすることができる。
発光素子１０にはＬＥＤなどの半導体発光素子を用いることが好ましい。光源として半導体発光素子を用いることによって、高効率で入力に対する出力のリニアリティが高く、機械的衝撃にも強い安定した発光装置１００を得ることができる。
半導体発光素子としては、例えば、窒化物系半導体（ＩｎＸＡｌＹＧａ１−Ｘ−ＹＮ、ここでＸ及びＹは、０≦Ｘ、０≦Ｙ、Ｘ＋Ｙ≦１を満たす）を用いた青色、緑色等に発光する半導体発光素子を用いることができる。
【００２２】
（蛍光部材５０）
蛍光部材５０は、例えば、蛍光体７０と樹脂（図示せず）とを含むことができる。蛍光部材５０は蛍光体７０として、発光素子１０から発せられる光を吸収し、青色に発光する第一蛍光体７１の少なくとも１種と、緑色に発光する第二蛍光体７２の少なくとも１種と、黄色に発光する第三蛍光体７３の少なくとも１種と、赤色に発光する第四蛍光体７４の少なくとも１種と、深赤色に発光する第五蛍光体７５の少なくとも１種とを含む。第一蛍光体７１から第五蛍光体７５は、互いに異なる組成を有している。第一蛍光体７１から第五蛍光体７５の構成比率を適宜選択することで発光装置１００の発光効率、演色性等の特性を所望の範囲とすることができる。
【００２３】
第一蛍光体７１
第一蛍光体７１は、４３０ｎｍ以上５００ｎｍ以下の範囲に発光ピーク波長を有し、Ｃｌを組成に有しＥｕで賦活されるアルカリ土類リン酸塩を含む青色発光の蛍光体である。第一蛍光体７１は、例えば下記式（１）で示される組成を有することが好ましく、下記式（１’）で示される組成を有することがより好ましい。これにより、以下に説明する第一蛍光体７１の各発光特性を比較的容易に得ることができる。
（Ｃａ，Ｓｒ，Ｂａ）５（ＰＯ４）３（Ｃｌ，Ｂｒ）：Ｅｕ    （１）
Ｃａ５（ＰＯ４）３Ｃｌ：Ｅｕ    （１’）
【００２４】
第一蛍光体７１の極大励起波長は、例えば３６０ｎｍ以上４４０ｎｍ以下であり、３７０ｎｍ以上４３０ｎｍ以下が好ましい。上記発光素子１０の発光ピーク波長の範囲で、効率よく励起させることができる。第一蛍光体７１の発光ピーク波長は、例えば４３０ｎｍ以上５００ｎｍ以下の範囲であり、４４０ｎｍ以上４８０ｎｍ以下の範囲にあることが好ましい。このような範囲とすることにより、発光装置１００の発光スペクトルは、特に青色領域について第一蛍光体７１の発光スペクトルと、発光素子１０の発光スペクトル及び第二蛍光体７２の発光スペクトルとの重複が少なくなる。さらに、発光装置１００の発光スペクトルを、第一蛍光体７１の発光スペクトルと、発光素子１０の発光スペクトルとによって、従来は発光素子のみに由来していた青色領域の発光強度を基準光源に近づけることが容易になり、発光装置１００の演色性を向上させることができる。第一蛍光体７１の発光スペクトルにおける半値幅は、例えば２９ｎｍ以上４９ｎｍ以下であり、３４ｎｍ以上４４ｎｍ以下が好ましい。このような半値幅の範囲にすることにより、色純度を向上させて、青色領域における発光スペクトルを基準光源に近づけることができ、発光装置１００の演色性を更に向上させることができる。
【００２５】
例えば、相関色温度が２０００Ｋ以上７５００Ｋ以下の光を発する発光装置１００の場合、蛍光部材５０中の総蛍光体量に対する第一蛍光体７１の含有率（第一蛍光体量／総蛍光体量；以下、単に「第一蛍光体７１の含有率」ともいう。）は、例えば２０質量％以上であり、２５質量％以上であることが好ましく、４０質量％以上であることがより好ましい。また第一蛍光体７１の含有率は、例えば８０質量％以下であり、７５質量％以下であることが好ましく、７０質量％以下であることがより好ましい。第一蛍光体７１の含有率が上記範囲内のとき、発光装置１００の発光スペクトルを基準光源により近づけることができるので、演色性をより向上させることができる。
【００２６】
例えば、相関色温度が２０００Ｋ以上７５００Ｋ以下の光を発する発光装置１００の場合、第一蛍光体７１の第三蛍光体７３に対する含有比（第一蛍光体／第三蛍光体）は、例えば０．３以上７以下であり、０．５以上６．５以下であることが好ましく、０．６以上６以下であることがより好ましく、１．８以上６以下であることが更に好ましい。含有比が上記範囲内のとき、発光装置１００の発光スペクトルをより基準光源に近づけることができるので、演色性をより向上させることができる。
【００２７】
発光装置１００より得られる、横軸に波長、縦軸に相対発光強度を採った発光スペクトルにおいて、第一蛍光体７１の発光ピーク強度の発光素子１０の発光ピーク強度に対する比（第一蛍光体７１の発光ピーク強度／発光素子１０の発光ピーク強度；以下、単に「発光ピーク強度比」ともいう。）は、例えば相関色温度が２０００Ｋ以上７５００Ｋ以下の光を発する発光装置１００の場合、例えば０．１５以上２以下であり、０．３以上１．８以下であることが好ましく、０．５以上１．５以下であることがより好ましい。発光ピーク強度比が上記範囲内のとき、発光装置１００の発光スペクトルを基準光源により近づけることができるので、演色性をより向上させることができる。ここで発光ピーク強度比は、４１０ｎｍ以上４４０ｎｍ以下の範囲における発光強度の最大値を発光素子１０の発光ピーク強度と見做し、４４０ｎｍ超４７０ｎｍ以下の範囲における発光強度の最大値を第一蛍光体７１の発光ピーク強度と見做して算出する。
【００２８】
また例えば、相関色温度が５５００Ｋ以上７５００Ｋ以下の光を発する発光装置１００の場合、第一蛍光体７１の含有率は、例えば３０質量％以上であり、３５質量％以上であることが好ましく、４５質量％以上であることがより好ましい。また第一蛍光体７１の含有率は、例えば８０質量％以下であり、７７質量％以下であることが好ましく、７５質量％以下であることがより好ましい。含有比率が上記範囲内のとき、発光装置の発光スペクトルを基準光源により近づけることができるので、演色性をより向上させることができる。
【００２９】
また例えば、相関色温度が５５００Ｋ以上７５００Ｋ以下の光を発する発光装置１００の場合、第一蛍光体７１の第三蛍光体７３に対する含有比は、例えば０．９以上６以下であり、１．５以上５．９以下であることが好ましく、２．５以上５．８５以下であることがより好ましい。含有比が上記範囲内のとき、発光装置１００の発光スペクトルをより基準光源に近づけることができるので、演色性をより向上させることができる。
【００３０】
また例えば、相関色温度が５５００Ｋ以上７５００Ｋ以下の光を発する発光装置１００の場合、第一蛍光体７１の発光素子１０に対する発光ピーク強度比は、例えば０．４以上１．５以下であり、０．４５以上１．４７以下であることが好ましく、０．７０以上１．４４以下であることがより好ましい。発光ピーク強度比が上記範囲内のとき、発光装置１００の発光スペクトルを基準光源により近づけることができるので、演色性をより向上させることができる。
【００３１】
また例えば、相関色温度が４５００Ｋ以上５５００Ｋ未満の光を発する発光装置１００の場合、第一蛍光体７１の含有率は、例えば３０質量％以上であり、４５質量％以上であることが好ましく、５５質量％以上であることがより好ましい。また第一蛍光体７１の含有率は、例えば８０質量％以下であり、７８質量％以下であることが好ましく、７６質量％以下であることがより好ましい。含有比率が上記範囲内のとき、発光装置１００の発光スペクトルを基準光源により近づけることができるので、演色性をより向上させることができる。
【００３２】
また例えば、相関色温度が４５００Ｋ以上５５００Ｋ未満の光を発する発光装置１００の場合、第一蛍光体７１の第三蛍光体７３に対する含有比は、例えば０．８以上５．５以下であり、１．５以上５．４以下であることが好ましく、２以上５．３５以下であることがより好ましい。含有比が上記範囲内のとき、発光装置１００の発光スペクトルをより基準光源に近づけることができるので、演色性をより向上させることができる。
【００３３】
また例えば、相関色温度が４５００Ｋ以上５５００Ｋ未満の光を発する発光装置１００の場合、第一蛍光体７１の発光素子１０に対する発光ピーク強度比は、例えば０．４以上１．５以下であり、０．５以上１．４５以下であることが好ましく、０．６以上１．４以下であることがより好ましい。発光ピーク強度比が上記範囲内のとき、発光装置１００の発光スペクトルを基準光源により近づけることができるので、演色性をより向上させることができる。
【００３４】
また例えば、相関色温度が３５００Ｋ以上４５００Ｋ未満の光を発する発光装置１００の場合、第一蛍光体７１の含有率は、例えば２０質量％以上であり、５０質量％以上であることが好ましく、５５質量％以上であることがより好ましい。また第一蛍光体７１の含有率は、例えば７５質量％以下であり、７０質量％以下であることが好ましく、６４質量％以下であることがより好ましい。含有比率が上記範囲内のとき、発光装置１００の発光スペクトルを基準光源により近づけることができるので、演色性をより向上させることができる。
【００３５】
また例えば、相関色温度が３５００Ｋ以上４５００Ｋ未満の光を発する発光装置１００の場合、第一蛍光体７１の第三蛍光体７３に対する含有比は、例えば０．６以上４．２以下であり、１．８以上４以下であることが好ましく、２．２以上３．３以下であることがより好ましい。含有比が上記範囲内のとき、発光装置１００の発光スペクトルをより基準光源に近づけることができるので、演色性をより向上させることができる。
【００３６】
また例えば、相関色温度が３５００Ｋ以上４５００Ｋ未満の光を発する発光装置１００の場合、第一蛍光体７１の発光素子１０に対する発光ピーク強度比は、例えば０．３以上１．３以下であり、０．６以上１．２５以下であることが好ましく、０．８以上１．１以下であることがより好ましい。発光ピーク強度比が上記範囲内のとき、発光装置１００の発光スペクトルを基準光源により近づけることができるので、演色性をより向上させることができる。
【００３７】
また例えば、相関色温度が２５００Ｋ以上３５００Ｋ未満の光を発する発光装置１００の場合、第一蛍光体７１の含有率は、例えば３０質量％以上であり、３５質量％以上であることが好ましく、４０質量％以上であることがより好ましい。また第一蛍光体７１の含有率は、例えば６５質量％以下であり、６０質量％以下であることが好ましく、５５質量％以下であることがより好ましい。含有比率が上記範囲内のとき、発光装置１００の発光スペクトルを基準光源により近づけることができるので、演色性をより向上させることができる。
【００３８】
また例えば、相関色温度が２５００Ｋ以上３５００Ｋ未満の光を発する発光装置１００の場合、第一蛍光体７１の第三蛍光体７３に対する含有比は、例えば１以上４以下であり、１．５以上３．５以下であることが好ましく、１．７以上２．７以下であることがより好ましい。含有比が上記範囲内のとき、発光装置１００の発光スペクトルをより基準光源に近づけることができるので、演色性をより向上させることができる。
【００３９】
また例えば、相関色温度が２５００Ｋ以上３５００Ｋ未満の光を発する発光装置１００の場合、第一蛍光体７１の発光素子１０に対する発光ピーク強度比は、例えば０．２以上１．４以下であり、０．５以上１．２以下であることが好ましく、０．７以上１．１以下であることがより好ましい。発光ピーク強度比が上記範囲内のとき、発光装置１００の発光スペクトルを基準光源により近づけることができるので、演色性をより向上させることができる。
【００４０】
第二蛍光体７２
第二蛍光体７２は、４４０ｎｍ以上５５０ｎｍ以下の範囲に発光ピーク波長を有し、Ｅｕで賦活されるアルカリ土類アルミン酸塩、並びにＣａ、Ｍｇ及びＣｌを組成に有しＥｕで賦活されるケイ酸塩の少なくとも一方を含む緑色発光の蛍光体である。第二蛍光体７２は、少なくとも前記アルカリ土類アルミン酸塩を含むことが好ましい。前記アルカリ土類アルミン酸塩は、例えば下記式（２ａ）で示される組成を有することが好ましく、下記式（２ａ’）で示される組成を有することがより好ましい。前記ケイ酸塩は、例えば下記式（２ｂ）で示される組成を有することが好ましく、下記式（２ｂ’）で示される組成を有することがより好ましい。特定の組成を有することで、以下に説明する第二蛍光体７２の各発光特性を比較的容易に得ることができる。
（Ｓｒ，Ｃａ，Ｂａ）４Ａｌ１４Ｏ２５：Ｅｕ    （２ａ）
Ｓｒ４Ａｌ１４Ｏ２５：Ｅｕ    （２ａ’）
（Ｃａ，Ｓｒ，Ｂａ）８ＭｇＳｉ４Ｏ１６（Ｆ，Ｃｌ，Ｂｒ）２：Ｅｕ    （２ｂ）
Ｃａ８ＭｇＳｉ４Ｏ１６Ｃｌ２：Ｅｕ    （２ｂ’）
【００４１】
第二蛍光体７２が式（２ｂ）で示される組成を有する場合、第二蛍光体７２はＣａ、Ｓｒ及びＢａからなる群から選択される少なくとも１種を含むが、少なくともＣａを含むことが好ましく、Ｃａ、Ｓｒ及びＢａのうちのＣａ含有率が９０モル％以上であることがより好ましい。第二蛍光体はＦ、Ｃｌ及びＢｒからなる群から選択される少なくとも１種を含むが、少なくともＣｌを含むことが好ましく、Ｆ、Ｃｌ及びＢｒのうちのＣｌ含有率が９０モル％以上であることがより好ましい。
【００４２】
第二蛍光体７２の極大励起波長は、例えば２７０ｎｍ以上４７０ｎｍ以下であり、３７０ｎｍ以上４６０ｎｍ以下が好ましい。上記発光素子１０の発光ピーク波長の範囲で、効率よく励起させることができる。
第二蛍光体７２が式（２ａ）で示される組成を有する場合、その発光ピーク波長は、例えば４００ｎｍ以上５５０ｎｍ以下であり、４６０ｎｍ以上５３０ｎｍ以下であることが好ましい。また発光スペクトルにおける半値幅は、例えば５８ｎｍ以上７８ｎｍ以下であり、６３ｎｍ以上７３ｎｍ以下が好ましい。
第二蛍光体７２が式（２ｂ）で示される組成を有する場合、その発光ピーク波長は、例えば５１０ｎｍ以上５４０ｎｍ以下であり、５２０ｎｍ以上５３０ｎｍ以下が好ましい。また発光スペクトルにおける半値幅は、例えば５０ｎｍ以上７５ｎｍ以下であり、５８ｎｍ以上６８ｎｍ以下が好ましい。
このような第二蛍光体７２の少なくとも１種を用いることで、色純度を向上させて、緑色領域における発光スペクトルを基準光源に近づけることができ、発光装置１００の演色性をより向上させることができる。
【００４３】
例えば、相関色温度が２０００Ｋ以上７５００Ｋ以下の光を発する発光装置１００の場合、蛍光部材５０中の総蛍光体量に対する第二蛍光体７２の含有率（第二蛍光体量／総蛍光体量；以下、単に「第二蛍光体７２の含有率」ともいう。）は、０．５質量％以上であり、０．７質量％以上であることが好ましく、１質量％以上であることがより好ましい。また第二蛍光体７２の含有率は、３０質量％以下であり、２０質量％以下であることが好ましく、１５質量％以下であることがより好ましい。
【００４４】
また例えば、相関色温度が５５００Ｋ以上７５００Ｋ以下の光を発する発光装置１００の場合、第二蛍光体７２の含有率は、例えば４質量％以上であり、５質量％以上であることが好ましく、６質量％以上であることがより好ましい。また第二蛍光体７２の含有率は、例えば２０質量％以下であり、１３質量％以下であることが好ましく、１１質量％以下であることがより好ましい。
また例えば、相関色温度が４５００Ｋ以上５５００Ｋ未満の光を発する発光装置１００の場合、第二蛍光体７２の含有率は、例えば０．５質量％以上であり、０．７質量％以上であることが好ましく、１質量％以上であることがより好ましい。また第二蛍光体７２の含有率は、例えば４質量％以下であり、３質量％以下であることが好ましく、２質量％以下であることがより好ましい。
また例えば、相関色温度が３５００Ｋ以上４５００Ｋ未満の光を発する発光装置１００の場合、第二蛍光体７２の含有率は、例えば１．５質量％以上であり、２質量％以上であることが好ましく、２．２質量％以上であることがより好ましい。また第二蛍光体７２の含有率は、例えば５質量％以下であり、３．５質量％以下であることが好ましく、３質量％以下であることがより好ましい。
また例えば、相関色温度が２５００Ｋ以上３５００Ｋ未満の光を発する発光装置１００の場合、第二蛍光体７２の含有率は、例えば１．５質量％以上であり、２質量％以上であることが好ましく、２．２質量％以上であることがより好ましい。また第二蛍光体７２の含有率は、例えば５質量％以下であり、３．５質量％以下であることが好ましく、３質量％以下であることがより好ましい。
第二蛍光体７２の含有率が上記範囲内であると、発光装置１００の緑色領域における発光スペクトルを基準光源により近づけることができ、演色性をより向上させることができる。
【００４５】
第三蛍光体７３
第三蛍光体７３は、５００ｎｍ以上６００ｎｍ以下の範囲に発光ピーク波長を有し、Ｃｅで賦活される希土類アルミン酸塩を含む黄色発光の蛍光体である。第三蛍光体７３は、例えば下記式（３）で示される組成を有することが好ましく、下記式（３’）で示される組成を有することがより好ましい。これにより、以下に説明する第三蛍光体７３の各発光特性を比較的容易に得ることができる。
（Ｙ，Ｌｕ，Ｇｄ）３（Ａｌ，Ｇａ）５Ｏ１２：Ｃｅ    （３）
Ｙ３Ａｌ５Ｏ１２：Ｃｅ    （３’）
【００４６】
第三蛍光体７３の極大励起波長は、例えば２２０ｎｍ以上４９０ｎｍ以下であり、４３０ｎｍ以上４７０ｎｍ以下が好ましい。上記発光素子１０の発光ピーク波長の範囲で、効率よく励起させることができる。第三蛍光体７３のピーク波長は、例えば４８０ｎｍ以上６３０ｎｍ以下であり、５００ｎｍ以上５６０ｎｍ以下が好ましい。このような範囲とすることにより、第二蛍光体７２の発光スペクトルとの重複を少なくし、黄色領域における発光スペクトルを基準光源に近づけることができ、発光装置１０の演色性をより向上させることができる。第三蛍光体７３の発光スペクトルにおける半値幅は、例えば９５ｎｍ以上１１５ｎｍ以下であり、１００ｎｍ以上１１０ｎｍ以下が好ましい。このような半値幅の範囲にすることにより、色純度を向上させて、黄色領域における発光スペクトルを基準光源に近づけることができるので、発光装置１００の演色性をより向上させることができる。
【００４７】
例えば、相関色温度が２０００Ｋ以上７５００Ｋ以下の光を発する発光装置１００の場合、蛍光部材５０中の総蛍光体量に対する第三蛍光体７３の含有率（第三蛍光体量／総蛍光体量；以下、単に「第三蛍光体７３の含有率」ともいう。）は、例えば８質量％以上であり、１０質量％以上であることが好ましく、１２質量％以上であることがより好ましい。また第三蛍光体７３の含有率は、例えば４０質量％以下であり、３０質量％以下であることが好ましく、２５質量％以下であることがより好ましい。
【００４８】
また例えば、相関色温度が５５００Ｋ以上７５００Ｋ以下の光を発する発光装置１００の場合、第三蛍光体７３の含有率は、例えば８質量％以上であり、１０質量％以上であることが好ましく、１２質量％以上であることがより好ましい。また第三蛍光体７３の含有率は、例えば４０質量％以下であり、３０質量％以下であることが好ましく、２２質量％以下であることがより好ましい。
また例えば、相関色温度が４５００Ｋ以上５５００Ｋ未満の光を発する発光装置１００の場合、第三蛍光体７３の含有率は、例えば１０質量％以上であり、１２質量％以上であることが好ましく、１４質量％以上であることがより好ましい。また第三蛍光体７３の含有率は、例えば４５質量％以下であり、３０質量％以下であることが好ましく、２５質量％以下であることがより好ましい。
また例えば、相関色温度が３５００Ｋ以上４５００Ｋ未満の光を発する発光装置１００の場合、第三蛍光体７３の含有率は、例えば１０質量％以上であり、１５質量％以上であることが好ましく、１７．５質量％以上であることがより好ましい。また第三蛍光体７３の含有率は、例えば５０質量％以下であり、３５質量％以下であることが好ましく、２５質量％以下であることがより好ましい。
また例えば、相関色温度が２５００Ｋ以上３５００Ｋ未満の光を発する発光装置１００の場合、第三蛍光体７３の含有率は、例えば１５質量％以上であり、１７．５質量％以上であることが好ましく、２０質量％以上であることがより好ましい。また第三蛍光体７３の含有率は、例えば４０質量％以下であり、３０質量％以下であることが好ましく、２５質量％以下であることがより好ましい。
第三蛍光体７３の含有率が上記範囲内であると、発光装置１００の黄色領域における発光スペクトルを基準光源により近づけることができ、演色性をより向上させることができる。
【００４９】
第四蛍光体７４
第四蛍光体７４は、６１０ｎｍ以上６５０ｎｍ以下の範囲に発光ピーク波長を有し、Ｓｒ及びＣａの少なくとも一方とＡｌとを組成に有しＥｕで賦活されるシリコンナイトライドを含む赤色発光の蛍光体である。第四蛍光体７４は、例えば下記式（４）で示される組成を有することが好ましい。これにより、以下に説明する第四蛍光体７４の各発光特性を比較的容易に得ることができる。
（Ｓｒ，Ｃａ）ＡｌＳｉＮ３：Ｅｕ    （４）
【００５０】
第四蛍光体７４が式（４）で示される組成を有する場合、第四蛍光体７４はＳｒ及びＣａからなる群から選択される少なくとも１種を含むが、ＳｒとＣａの両方を含むことが好ましく、ＳｒとＣａの両方を含み、Ｓｒ及びＣａのうちのＳｒ含有率が０．８モル％以上であることがより好ましい。これにより、第四蛍光体７４の発光ピーク波長を所望の範囲とすることができる。
【００５１】
第四蛍光体７４の発光ピーク波長は、例えば６２０ｎｍ以上６５０ｎｍ以下であり、６３０ｎｍ以上６４５ｎｍ以下が好ましい。上記下限値以上であると、後述する第五蛍光体７５の発光ピーク波長と第四蛍光体７４の発光ピーク波長の間の発光強度が不足することなく、赤色領域における発光スペクトルを基準光源により近づけることができる。上記上限値以下であると、第四蛍光体７４の発光スペクトルと第五蛍光体７５の発光スペクトルとの重複を少なくすることができ、第五蛍光体７５の発光スペクトルの効果が効率的に得られ、演色性をより向上させることができる。第四蛍光体７４の発光スペクトルにおける半値幅は、例えば８０ｎｍ以上１００ｎｍ以下であり、８５ｎｍ以上９５ｎｍ以下が好ましい。このような半値幅の範囲とすることにより、第四蛍光体７４の発光スペクトルと第五蛍光体７５の発光スペクトルとの重複が少なくなるので、第五蛍光体７５の発光スペクトルの効果が効率的に得られ、演色性をより向上させることができる。
【００５２】
例えば、相関色温度が２０００Ｋ以上７５００Ｋ以下の光を発する発光装置１００の場合、蛍光部材中の総蛍光体量に対する第四蛍光体７４の含有量の含有率（第四蛍光体量／総蛍光体量；以下、単に「第四蛍光体７４の含有率」ともいう。）は、例えば０．５質量％以上であり、１質量％以上であることが好ましく、１．５質量％以上であることがより好ましい。また第四蛍光体７４の含有率は、例えば６質量％以下であり、５質量％以下であることが好ましく、４質量％以下であることがより好ましい。
【００５３】
また例えば、相関色温度が５５００Ｋ以上７５００Ｋ以下の光を発する発光装置１００の場合、第四蛍光体７４の含有率は、例えば１質量％以上であり、１．５質量％以上であることが好ましく、２質量％以上であることがより好ましい。また第四蛍光体７４の含有率は、例えば６質量％以下であり、４質量％以下であることが好ましく、３．８質量％以下であることがより好ましい。
また例えば、相関色温度が４５００Ｋ以上５５００Ｋ未満の光を発する発光装置１００の場合、第四蛍光体７４の含有率は、例えば０．５質量％以上であり、１質量％以上であることが好ましく、１．５質量％以上であることがより好ましい。また第四蛍光体７４の含有率は、例えば３．５質量％以下であり、３質量％以下であることが好ましく、２．６質量％以下であることがより好ましい。
また例えば、相関色温度が３５００Ｋ以上４５００Ｋ未満の光を発する発光装置１００の場合、第四蛍光体７４の含有率は、例えば１質量％以上であり、１．５質量％以上であることが好ましく、２．２７質量％以上であることがより好ましい。また第四蛍光体７４の含有率は、例えば４．８質量％以下であり、３．５質量％以下であることが好ましく、３質量％以下であることがより好ましい。
また例えば、相関色温度が２５００Ｋ以上３５００Ｋ未満の光を発する発光装置１００の場合、第四蛍光体７４の含有率は、例えば２．５質量％以上であり、３質量％以上であることが好ましく、３．２質量％以上であることがより好ましい。また第四蛍光体７４の含有率は、例えば４．５質量％以下であり、４質量％以下であることが好ましく、３．５質量％以下であることがより好ましい。
第四蛍光体７４の含有率が上記範囲内であると、発光装置１００の赤色領域における発光スペクトルを基準光源により近づけることができ、演色性をより向上させることができる。
【００５４】
第五蛍光体７５
第五蛍光体は、６５０ｎｍ以上６７０ｎｍ以下の範囲に発光ピーク波長を有し、Ｍｎで賦活されるフルオロジャーマネートを含む深赤色発光の蛍光体である。第五蛍光体７５は、例えば下記式（５ａ）又は（５ｂ）で示される組成を有するフルオロジャーマネートの少なくとも１種であることが好ましい。式（５ａ）又は（５ｂ）で示される組成を有する蛍光体の発光ピーク波長は、赤色発光の他の蛍光体よりも長く、６５０ｎｍ以上である。そのため、長波長領域の発光スペクトルを効果的に基準光源に近づけることができ、発光装置１００の演色性をより向上させることができる。
３．５ＭｇＯ・０．５ＭｇＦ２・ＧｅＯ２：Ｍｎ    （５ａ）
（ｘ-ｓ）ＭｇＯ・（ｓ/２）Ｓｃ２Ｏ３・ｙＭｇＦ２・ｕＣａＦ２・（１-ｔ）ＧｅＯ２・（ｔ/２）Ｍｔ２Ｏ３：ｚＭｎ    （５ｂ）
【００５５】
ただし、式（５ｂ）中、ｘ、ｙ、ｚ、ｓ、ｔ及びｕは、２．０≦ｘ≦４．０、０＜ｙ＜１．５、０＜ｚ＜０．０５、０≦ｓ＜０．５、０＜ｔ＜０．５、０≦ｕ＜１．５を満たし、さらにｙ+ｕ＜１．５を満たすことが好ましい。また上記一般式（５ｂ）中のＭｔはＡｌ、Ｇａ及びＩｎからなる群から選択される少なくとも１種である。
【００５６】
式（５ｂ）において、好ましくは０．０５≦ｓ≦０．３、０．０５≦ｔ＜０．３であり、これによりさらに輝度を向上させることができる。更に第五蛍光体７５は、下記式（５ｂ’）で示される組成を有することが好ましい。これにより、上記発光素子１０の発光ピーク波長を含む波長範囲の光により、第五蛍光体７５を効率よく励起することができる。
３．４ＭｇＯ・０．１Ｓｃ２Ｏ３・０．５ＭｇＦ２・０．８８５ＧｅＯ２・０．１Ｇａ２Ｏ３：０．０１５Ｍｎ    （５ｂ’）
【００５７】
第五蛍光体７５の発光スペクトルにおける半値幅は、例えば４５ｎｍ以下であり、４０ｎｍ以下であることが好ましい。このような半値幅の範囲にすることにより、色純度を向上させて、赤色領域における発光スペクトルを基準光源に近づけることができ、発光装置１００の演色性をより向上させることができる。また第五蛍光体７５の発光スペクトルは、最大発光強度を１００％とした場合に、６００ｎｍ以上６２０ｎｍ以下の範囲における平均発光強度が例えば２０％以下であり、１０％以下であることが好ましい。上記範囲であると、後述する第五蛍光体７５の発光スペクトルが第四蛍光体７４の発光スペクトルと重複することが少なくなるので、第四蛍光体７４の発光スペクトルの効果がより効率的に得られ、演色性をより向上させることができる。
【００５８】
例えば、相関色温度が２０００Ｋ以上７５００Ｋ以下の光を発する発光装置１００の場合、蛍光部材５０中の総蛍光体量に対する第五蛍光体７５の含有率（第五蛍光体量／総蛍光体量；以下、単に「第五蛍光体７５の含有率」ともいう。）は、例えば１質量％以上であり、２質量％以上であることが好ましく、３質量％以上であることがより好ましい。また第五蛍光体７５の含有率は、例えば４０質量％以下であり、３５質量％以下であることが好ましく、３０質量％以下であることがより好ましい。
【００５９】
また例えば、相関色温度が５５００Ｋ以上７５００Ｋ以下の光を発する発光装置１００の場合、第五蛍光体７５の含有率は、例えば１質量％以上であり、２質量％以上であることが好ましく、３質量％以上であることがより好ましい。また第五蛍光体７５の含有率は、例えば１２質量％以下であり、６質量％以下であることが好ましく、５．５質量％以下であることがより好ましい。
また例えば、相関色温度が４５００Ｋ以上５５００Ｋ未満の光を発する発光装置１００の場合、第五蛍光体７５の含有率は、例えば３質量％以上であり、５質量％以上であることが好ましく、７質量％以上であることがより好ましい。また第五蛍光体７５の含有率は、例えば３０質量％以下であり、２０質量％以下であることが好ましく、１５質量％以下であることがより好ましい。
また例えば、相関色温度が３５００Ｋ以上４５００Ｋ未満の光を発する発光装置１００の場合、第五蛍光体７５の含有率は、例えば５質量％以上であり、８質量％以上であることが好ましく、１０質量％以上であることがより好ましい。また第五蛍光体７５の含有率は、例えば２８質量％以下であり、２０質量％以下であることが好ましく、１６質量％以下であることがより好ましい。
また例えば、相関色温度が２５００Ｋ以上３５００Ｋ未満の光を発する発光装置１００の場合、第五蛍光体７５の含有率は、例えば１５質量％以上であり、１８質量％以上であることが好ましく、２０質量％以上であることがより好ましい。また第五蛍光体７５の含有率は、例えば４５質量％以下であり、４０質量％以下であることが好ましく、３０質量％以下であることがより好ましい。
第五蛍光体７５の含有率が上記範囲内であると、発光装置１００の赤色領域における発光スペクトルを基準光源により近づけることができ、演色性をより向上させることができる。
【００６０】
蛍光部材５０は、第一蛍光体７１から第五蛍光体７５以外のその他の蛍光体を必要に応じて含んでいてもよい。その他の蛍光体としては、Ｃａ３Ｓｃ２Ｓｉ３Ｏ１２：Ｃｅ、ＣａＳｃ２Ｏ４：Ｃｅ、（Ｌａ，Ｙ）３Ｓｉ６Ｎ１１：Ｃｅ、（Ｃａ，Ｓｒ，Ｂａ）３Ｓｉ６Ｏ９Ｎ４：Ｅｕ、（Ｃａ，Ｓｒ，Ｂａ）３Ｓｉ６Ｏ１２Ｎ２：Ｅｕ、（Ｂａ，Ｓｒ，Ｃａ)Ｓｉ２Ｏ２Ｎ２：Ｅｕ、（Ｃａ，Ｓｒ，Ｂａ）２Ｓｉ５Ｎ８：Ｅｕ、（Ｃａ，Ｓｒ，Ｂａ）Ｓ：Ｅｕ、（Ｂａ，Ｓｒ，Ｃａ）Ｇａ２Ｓ４：Ｅｕ、Ｋ２（Ｓｉ，Ｔｉ，Ｇｅ）Ｆ６：Ｍｎ等を挙げることができる。蛍光部材５０がその他の蛍光体を含む場合、その含有率は本発明に係る発光特性が得られるように適宜調整される。その他の蛍光体の含有率は総蛍光体量に対して、例えば２質量％以下であり、１質量％以下が好ましい。
【００６１】
（樹脂）
蛍光部材５０を構成する樹脂としては、熱可塑性樹脂及び熱硬化性樹脂が挙げられる。熱硬化性樹脂として、具体的には、エポキシ樹脂、シリコーン樹脂、エポキシ変性シリコーン樹脂等の変性シリコーン樹脂などを挙げることができる。
【００６２】
（その他成分）
蛍光部材５０は、蛍光体７０及び樹脂に加えてその他の成分を必要に応じて含んでいてもよい。その他の成分としては、シリカ、チタン酸バリウム、酸化チタン、酸化アルミニウム等のフィラー、光安定化剤、着色剤等を挙げることができる。蛍光部材がその他の成分を含む場合、その含有量は特に制限されず、目的等に応じて適宜選択することができる。例えば、その他の成分として、フィラーを含む場合、その含有量は樹脂１００質量部に対して、０．０１から２０質量部とすることができる。
【実施例】
【００６３】
以下、本発明の実施例を具体的に説明するが、本発明はこれらの実施例に限定されるものではない。
【００６４】
（蛍光体７０）
発光装置１００の作製に先立ち、以下に示す第一蛍光体７１から第五蛍光体７５をそれぞれ準備した。
第一蛍光体７１として、Ｃａ５（ＰＯ４）３Ｃｌ：Ｅｕで示される組成を有し、発光ピーク波長を４６０ｎｍ付近に有する青色発光の蛍光体（以下、「ＣＣＡ」ともいう。）を準備した。
第二蛍光体７２として、Ｓｒ４Ａｌ１４Ｏ２５：Ｅｕで示される組成を有し、発光ピーク波長を４９４ｎｍ付近に有する緑色発光の蛍光体（以下、「ＳＡＥ」ともいう。）を準備した。
第三蛍光体７３として、Ｙ３Ａｌ５Ｏ１２：Ｃｅで示される組成を有し、発光ピーク波長を５４４ｎｍ付近に有する希土類アルミニウムガーネット蛍光体（以下、「ＹＡＧ」ともいう。）を準備した。
第四蛍光体７４として、（Ｓｒ，Ｃａ）ＡｌＳｉＮ３：Ｅｕで示される組成を有し、発光ピーク波長を６３５ｎｍ付近に有する赤色発光の窒化物蛍光体（以下、「ＳＣＡＳＮ」ともいう。）を準備した。
第五蛍光体７５として、３．４ＭｇＯ・０．１Ｓｃ２Ｏ３・０．５ＭｇＦ２・０．８８５ＧｅＯ２・０．１Ｇａ２Ｏ３：０．０１５Ｍｎで示される組成を有し、発光ピーク波長を６５８ｎｍ付近に有する深赤色発光の蛍光体（以下、「ＭＧＦ」ともいう。）を準備した。
【００６５】
（発光素子１０）
発光素子１０として、発光ピーク波長が４３０ｎｍである青紫色発光ＬＥＤを準備した。
【００６６】
［評価］
以下の実施例及び比較例で得られた発光装置１００について、発光色の色度座標、相関色温度（Ｔｃｐ；Ｋ）、平均演色評価数（Ｒａ）、特殊演色評価数（Ｒ９からＲ１５）を測定した。また特殊演色評価数Ｒ９からＲ１５の総和（以下、Ｒｔともいう。）を算出した。なお、平均演色評価数及び特殊演色評価数を併せて、単に「演色評価数」ともいう。
発光装置１００の発光スペクトルは、積分球を使用した全光束測定装置を用いて測定した。
【００６７】
（実施例１）
発光装置１００の作製
発光ピーク波長が４３０ｎｍの青紫色発光ＬＥＤである発光素子１０と、第一蛍光体７１（ＣＣＡ）、第二蛍光体７２（ＳＡＥ）、第三蛍光体７３（ＹＡＧ）、第四蛍光体７４（ＳＣＡＳＮ）及び第五蛍光体７５（ＭＧＦ）を組合せて、以下のようにして実施例１の発光装置１００を作製した。
【００６８】
総蛍光体量に対する第一蛍光体７１（ＣＣＡ）の含有率が質量基準で３３．３％となり、総蛍光体量に対する他の各蛍光体の含有率を以下の表１に示す値とし、相関色温度が６５００Ｋ付近になるように配合した蛍光体７０をシリコーン樹脂に添加し、混合分散した後、更に脱泡することにより蛍光体含有樹脂組成物を得た。ここで樹脂量に対する第一蛍光体の含有量の比率（第一蛍光体／樹脂）は１５％であった。次にこの蛍光体含有樹脂組成物を発光素子１０の上に注入、充填し、さらに加熱することで樹脂組成物を硬化させた。このような工程により実施例１の発光装置１００を作製した。
【００６９】
（実施例２から７）
各蛍光体の質量基準の含有率（％）を以下の表１に示す値となるように変更したこと以外は実施例１と同様にして実施例２から７の発光装置１００を作製した。
【００７０】
（比較例１）
蛍光体７０として、第一蛍光体７１（ＣＣＡ）を使用することなく、第二蛍光体７２（ＳＡＥ）と、第三蛍光体７３（ＹＡＧ）と、第四蛍光体７４（ＳＣＡＳＮ）と第五蛍光体７５（ＭＧＦ）とを組み合わせて用いたこと以外は実施例１と同様にして比較例１の発光装置１００を作製した。
【００７１】
実施例１から７及び比較例１により得られた発光装置１００の評価結果について、演色評価数以外の結果は以下の表１に、演色評価数の結果は以下の表２に示す。
【００７２】
【表１】
2019114794.tif 000003
【００７３】
【表２】
2019114794.tif 000004
【００７４】
表１及び２より、実施例１から７は第一蛍光体７１を含むことにより、第一蛍光体７１を含まない比較例１よりもＲａが大きくなっている。また、実施例１から７は、Ｒ９からＲ１５においても全て６０以上の高い数値を有することができた。
一方、第一蛍光体７１を含まない比較例１では、Ｒａがいずれの実施例よりも小さく、Ｒ１２が３８であり、実施例と比べてかなり低かった。
【００７５】
実施例１から７及び比較例１は、表１に示されるように、いずれも相関色温度が５５００Ｋ以上７５００Ｋ以下の範囲にあった。実施例４、５、６及び７は、表１に示されるように、総蛍光体量に対する第一蛍光体７１の含有率が６０質量％以上８０質量％以下であり、第三蛍光体７３に対する第一蛍光体７１の含有比が２．５以上６．０以下である範囲に含まれる。これらの実施例４、５、６及び７は、表２に示されるように、Ｒ１２の数値が９０以上を示し、なおかつ、Ｒｔの数値が６５０以上を示しており、演色性が特に優れることが分かる。
【００７６】
図２は、比較例１及び実施例１から３に係る発光装置１００の発光スペクトルを、図３は、比較例１及び実施例４から７に係る発光装置１００の発光スペクトルを、それぞれ５３０ｎｍの発光強度を基準に規格化して比較した図である。図２及び図３の発光スペクトルは、波長に対する相対発光強度を示す。実施例４、５、６及び７は、表１に示されるように、発光スペクトルにおける第一蛍光体７１の発光素子１０に対する発光ピークの強度比が０．７以上１．５以下である。これらの実施例４、５、６及び７は、表２に示されるように、Ｒ１２の数値が９０以上を示し、なおかつＲｔの数値が６５０以上を示しており、演色性が特に優れることが分かる。
【００７７】
（実施例８から１５）
各蛍光体の含有率を以下の表３に示す値となるように変更して相関色温度を５０００Ｋ前後に合わせたこと以外は実施例１と同様にして実施例８から１５の発光装置１００を作製した。
【００７８】
（比較例２）
蛍光体７０として、第一蛍光体７１（ＣＣＡ）を使用することなく、第二蛍光体７２（ＳＡＥ）と、第三蛍光体７３（ＹＡＧ）と、第四蛍光体７４（ＳＣＡＳＮ）と第五蛍光体７５（ＭＧＦ）とを組み合わせて用いたことと、相関色温度を５０００Ｋ前後に合わせたこと以外は実施例１と同様にして比較例２の発光装置１００を作製した。
【００７９】
実施例８から１５及び比較例２により得られた発光装置１００の評価結果について、演色評価数以外の結果は以下の表３に、演色評価数の結果は以下の表４に示す。
【００８０】
【表３】
2019114794.tif 000005
【００８１】
【表４】
2019114794.tif 000006
【００８２】
表３及び４より、実施例８から１５は第一蛍光体７１を含むことにより、第一蛍光体７１を含まない比較例２よりもＲａが大きくなっている。また、実施例８から１５は、Ｒ９からＲ１５においても全て６０以上の高い数値を有することができた。
一方、第一蛍光体７１を含まない比較例２では、Ｒａがいずれの実施例よりも小さく、Ｒ１２が３５であり、実施例と比べてかなり低かった。
【００８３】
実施例８から１５及び比較例２は、表３に示されるように、いずれも相関色温度が４５００Ｋ以上５５００Ｋ以下の範囲にあった。実施例１０、１１、１２、１３、１４、１５は、表３に示されるように、総蛍光体量に対する第一蛍光体７１の含有率が５５質量％以上８０質量％以下であり、第三蛍光体７３に対する第一蛍光体７１の含有比が２．４以上５．５以下の範囲に含まれる。これらの実施例１０、１１、１２、１３、１４、１５では、表４に示されるように、Ｒ１２の数値が９０以上を示し、なおかつＲｔの数値が６６０以上を示しており、演色性が特に優れることが分かる。
【００８４】
図４は、比較例２及び実施例８から１１に係る発光装置１００の発光スペクトルを、図５は、比較例２及び実施例１２から１５に係る発光装置１００の発光スペクトルを、それぞれ５３０ｎｍの発光強度を基準に規格化して比較した図である。図４及び図５の発光スペクトルは、波長に対する相対発光強度を示す。実施例１０、１１、１２、１３、１４及び１５は、表３に示されるように、発光スペクトルにおける第一蛍光体７１の発光素子１０に対する発光ピークの強度比が０．６以上１．５以下である。これらの実施例１０、１１、１２、１３、１４及び１５は、表４に示されるように、Ｒ１２の数値が９０以上を示し、なおかつ、Ｒｔの数値が６６０以上を示しており、演色性が特に優れることが分かる。
【００８５】
（実施例１６から２３）
各蛍光体の含有率が以下の表５に示す値となるように変更して相関色温度を４０００Ｋ前後に合わせたこと以外は実施例１と同様にして実施例１６から２３の発光装置１００を作製した。
【００８６】
（比較例３）
蛍光体７０として、第一蛍光体７１（ＣＣＡ）を使用することなく、第二蛍光体７２（ＳＡＥ）と、第三蛍光体７３（ＹＡＧ）と、第四蛍光体７４（ＳＣＡＳＮ）と第五蛍光体７５（ＭＧＦ）とを組み合わせて用いたことと、相関色温度を４０００Ｋ前後に合わせたこと以外は実施例１と同様にして比較例３の発光装置１００を作製した。
【００８７】
実施例１６から２３及び比較例３により得られた発光装置１００の評価結果について、演色評価数以外の結果は以下の表５に、演色評価数の結果は以下の表６に示す。
【００８８】
【表５】
2019114794.tif 000007
【００８９】
【表６】
2019114794.tif 000008
【００９０】
表５及び６より、実施例１６から２３は第一蛍光体７１を含むことにより、第一蛍光体７１を含まない比較例３よりもＲａが大きくなっている。また、実施例１６から２３は、Ｒ９からＲ１５においても６０以上の高い数値を有することができた。
一方、第一蛍光体７１を含まない比較例３は、Ｒａが実施例と比べて小さく、Ｒ１２が４４であり、実施例と比べてかなり低かった。
【００９１】
実施例１６から２３及び比較例３は、表５に示されるように、いずれも相関色温度が３５００Ｋ以上４５００Ｋ以下の範囲にあった。実施例１９、２０、２１及び２２は、表５に示されるように、総蛍光体量に対する第一蛍光体７１の含有率が５５質量％以上７０質量％以下であり、第三蛍光体７３に対する第一蛍光体７１の含有比が２．４以上３．８以下の範囲に含まれる。これらの実施例１９、２０、２１及び２２は、表６に示されるように、Ｒ１２の数値が９０以上を示し、なおかつＲｔの数値が６７０以上を示しており、演色性が特に優れることが分かる。
【００９２】
図６は、比較例３及び実施例１６から１９に係る発光装置１００の発光スペクトルを、図７は、比較例３及び実施例２０から２３に係る発光装置１００の発光スペクトルを、それぞれ５３０ｎｍの発光強度を基準に規格化して比較した図である。図６及び図７の発光スペクトルは、波長に対する相対発光強度を示す。実施例１９、２０及び２１は、表５に示されるように、発光スペクトルにおける第一蛍光体７１の発光素子１０に対する発光ピークの強度比が０．８以上１．１以下である。これらの実施例１９、２０及び２１は、表６に示されるように、Ｒ１２の数値が９７以上を示し、なおかつＲｔの数値が６８０以上を示しており、演色性が特に優れることが分かる。
【００９３】
（実施例２４）
各蛍光体の含有率を以下の表７に示す値となるように変更して相関色温度を３０００Ｋ前後に合わせたこと以外は実施例１と同様にして実施例２４の発光装置１００を作製した。
【００９４】
（比較例４）
蛍光体７０として、第一蛍光体７１（ＣＣＡ）を使用することなく、第二蛍光体７２（ＳＡＥ）と、第三蛍光体７３（ＹＡＧ）と、第四蛍光体７４（ＳＣＡＳＮ）と第五蛍光体７５（ＭＧＦ）とを組み合わせて用いたことと、相関色温度を３０００Ｋ前後に合わせたこと以外は実施例１と同様にして比較例４の発光装置１００を作製した。
【００９５】
（実施例２５）
各蛍光体の含有率を以下の表７に示す値となるように蛍光体の量を変更して相関色温度を２７００Ｋ前後に合わせたこと以外は実施例１と同様にして実施例２５の発光装置１００を作製した。
【００９６】
（比較例５）
蛍光体７０として、第一蛍光体７１（ＣＣＡ）を使用することなく、第二蛍光体７２（ＳＡＥ）と、第三蛍光体７３（ＹＡＧ）と、第四蛍光体７４（ＳＣＡＳＮ）と第五蛍光体７５（ＭＧＦ）とを組み合わせて用いたことと、相関色温度を２７００Ｋ前後に合わせたこと以外は実施例１と同様にして比較例５の発光装置１００を作製した。
【００９７】
実施例２４及び２５並びに比較例４及び５により得られた発光装置１００の評価結果について、演色評価数以外の結果は以下の表７に、演色評価数の結果は以下の表８に示す。
【００９８】
【表７】
2019114794.tif 000009
【００９９】
【表８】
2019114794.tif 000010
【０１００】
表７及び８より、実施例２４及び２５は第一蛍光体７１を含むことにより、第一蛍光体７１を含まない比較例４及び５よりもＲａが向上している。また、実施例２４及び２５は、Ｒ９からＲ１５においても９０以上の高い数値を有することができた。
一方、第一蛍光体７１を含まない比較例４は、Ｒａが実施例２４よりも小さく、Ｒ１２が５１であり、実施例２４よりもかなり小さかった。同様に、第一蛍光体７１を含まない比較例５は、Ｒａが実施例２５よりも小さく、Ｒ１２が５９であり、実施例２５よりもかなり小さかった。
【０１０１】
実施例２４及び２５並びに比較例４及び５は、表７に示されるように、相関色温度が２０００Ｋ以上３５００Ｋ以下の範囲にあった。実施例２４及び２５は、表７に示されるように、総蛍光体量に対する第一蛍光体７１の含有率が４０質量％以上５５質量％以下であり、第三蛍光体７３に対する第一蛍光体７１の含有比が１．９以上２．５以下の範囲に含まれる。これらの実施例２４及び２５は、表８に示されるように、Ｒ１２の数値が９０以上を示し、なおかつＲｔの数値が６８０以上を示しており、比較例４及び５よりも演色性が優れていることが分かる。
【０１０２】
図８は、比較例４及び実施例２４に係る発光装置１００の発光スペクトルを、図９は、比較例５及び実施例２５に係る発光装置１００の発光スペクトルをそれぞれ５３０ｎｍの発光強度を基準に規格化して比較した図である。図８及び９の発光スペクトルは、波長に対する相対発光強度を示す。実施例２４及び２５は、表８に示されるように、発光スペクトルにおける第一蛍光体７１の発光素子１０に対する発光ピークの強度比が０．８以上１．１以下である。これらの実施例２４及び２５は、表８に示されるように、Ｒ１２の数値が９０以上を示し、なおかつＲｔの数値が６８０以上を示しており、比較例４及び５よりも演色性が優れていることが分かる。
【産業上の利用可能性】
【０１０３】
本開示の発光装置は、青色発光ダイオード又は紫外線発光ダイオードを励起光源とする発光特性に優れた照明器具、ＬＥＤディスプレイ、カメラのフラッシュライト、液晶バックライト光源などに利用することができる。特に、高度な演色性が求められる医療用、美術用照明装置や色比較向けの光源等に好適に利用することができる。
【符号の説明】
【０１０４】
１０：発光素子、５０：蛍光部材、７０：蛍光体、７１：第一蛍光体、７２：第二蛍光体、７３：第三蛍光体、７４：第四蛍光体、７５：第五蛍光体、１００：発光装置
【図１】
2019114794.tif 000011
【図２】
2019114794.tif 000012
【図３】
2019114794.tif 000013
【図４】
2019114794.tif 000014
【図５】
2019114794.tif 000015
【図６】
2019114794.tif 000016
【図７】
2019114794.tif 000017
【図８】
2019114794.tif 000018
【図９】
2019114794.tif 000019